(57)【要約】【課題】    従来の波力発電装置は、波の揺れを、空気を介してから発電機を回していたため効率が悪いし、設置費用も高額になっていた。そこで本発明の波発電装置は、波の揺れを直接滑動子（２）〈通常の発電機では回転子〉が上下に揺れて、固定子（１）との摺動で電気を発生させるものである。【解決手段】    波発電装置は、直接波をエネルギーに交換するもので、固定子（１）を海底に立て、滑動子（２）を外側に配置することで、固定子（１）は磁石（１ｂ）を多数重ねており、滑動子（２）は波の揺れで電気を発電する波発電装置である。【選択図】  図１
2014095310.tif 000002
【特許請求の範囲】
【請求項１】
波発電装置は、固定子（１）と滑動子（２）で構成され、
該固定子（１）は、杭（１ｅ）と磁石（１ｂ）で構成されており、
前記滑動子（２）は、中に該固定子（１）を遊びをもたせて貫通し、
該滑動子（２）は、コイル（２ａ）と磁性部（２ｂ）とフロート（２ｅ）からできていることを特徴とする波発電装置。
【発明の詳細な説明】
【技術分野】
【０００１】
本発明は、波のエネルギーを直接取り出し、発電する波発電装置に関するものである。
【背景技術】
【０００２】
従来の波力エネルギーで、空気の圧力に変換する装置の波力発電は、風力エネルギーよりも高いエネルギー密度を有するが、嵐のような暴風時のエネルギー密度は、風力よりはるかに低いレベルで飽和する。
従って本質的に実用化し易く、風力並みの利用が期待されながら、実用的には電力単価の壁を超えられず、少容量発電規模に留まっている。
【０００３】
その第一の原因は、嵐対策の切り札として登場した振動水柱型波力発電装置の低効率性にある。
第二の原因は、その後に登場した可動物体型波力発電装置の高価な装置製造費である。もしも振動水柱型波力発電装置の耐久性と可動物体型波力発電装置の高効率性とを併せ持つ発電装置が要ると考えた。
【０００４】
そこで、特開２０１２−２２１８の名称  洋上型波力発電装置が開発された。洋上型波力発電装置は、波の力を利用して、波の上下動を空気の波動に交換して、排気の空気と吸気の空気を逆支弁が別けて二つのタービンで発電するものであった。
【先行技術文献】
【特許文献】
【０００５】
【特許文献１】特開２０１２−２２１８
【特許文献２】特開２０１０−８４７２４
【発明の概要】
【発明が解決しようとする課題】
【０００６】
しかし、特開２０１２−２２１８の名称  洋上型波力発電装置には次のような欠点があった。
（イ）設置する費用が高額である。
開放口〈３〉は、水平水路〈２〉を介して可動物体としての海水の上下振動が自然発生する空気室〈１〉と、上下振動を分ける逆支弁の吸気側チェック弁〈７〉吐出側チェック弁〈９〉と、高圧タンク〈１１〉と低圧タンク〈５〉等が要る。
（ロ）タービンと発電機が２個いる。
吸気側タービン発電機〈４〉と排気側タービン発電気〈１２〉を必要としていた。
（ハ）せっかく密度の高い海水の波動を、空気に交換していた。
空気に交換していたため、０．１パスカル以下の圧力で、火力発電の蒸気の圧力は２０パスカルに比べて少なすぎる。
【０００７】
そこで、本発明の波発電装置は、直接波をエネルギーに交換するもので、固定子（１）を海底に立て、固定子（１）は磁石（１ｂ）を多数重ねており、滑動子（２）を外側に配置することで、滑動子（２）は波の揺れで電気を発電する波発電装置を提供するものである。
【課題を解決するための手段】
【０００８】
上記目的を達成するために、波発電装置は波を直接エネルギーに交換するもので、固定子（１）と滑動子（２）で構成され、その固定子（１）は杭（１ｅ）と磁石（１ｂ）で構成されている。その杭（１ｅ）は、海底（１ａ）に打ち込むことで安定する。そして、磁石（１ｂ）はリング状になっており、互い違いになるように杭（１ｅ）に被せている。その杭（１ｅ）の上部は、取付具（１ｄ）を介して防波堤（１ｃ）に固定されている。そして、その固定子（１）の杭（１ｅ）の柱を、海底（１ａ）に打ち込むか、または防波堤（１ｃ）に設置する。
【０００９】
そして、その磁石（３ｂ）はステップ着磁式で、固定子（１）の外側にＮ極とＳ極が互い違いになるように、Ｎ極とＮ極の反発する磁石の面を無理やり合わせ、Ｓ極とＳ極も同じように合わせた。
【００１０】
滑動子（２）は、中に固定子（１）を貫通さして取り付け、その滑動子（２）はコイル（２ａ）と磁性部（２ｂ）からできていて、コイル（２ａ）は緩衝しないようにギャップを開け、磁石（１ｂ）部分を巻くようにして、それを略コ字状のケイ素鋼でできた磁性部（２ｂ）で囲っている。そしてコイル（２ａ）は、交流を直流に変換するダイオード（２ｃ）を介在している。
【００１１】
コイル（２ａ）は、固定子（１）を巻くように多数巻き、磁性部（２ｂ）は略コ字状の形のものを多数並べて一周させ、滑動子（２）が固定子（１）を上下に移動することで目的を達成した。
【発明の効果】
【００１２】
本発明の波発電装置は、次のような効果がある。
（イ）波の力を直接電気エネルギーに交換するものであるから、エネルギーの無駄が少ない。
（ロ）従来の波力発電装置よりは、設備が簡単である。
（ハ）装置全体が波消しブロックの代わりをする。
（ニ）風力発電より設備が簡単である。
（ホ）洋上の風力発電装置の主柱を利用して波発電装置にできる。
【図面の簡単な説明】
【００１３】
【図１】図は、本発明の斜視図である。
【図２】図は、本発明の断面図である。
【図３】図は、図２の滑動子の拡大図である。
【図４】図は、図３の滑動子の平面を表した断面図である。
【図５】図は、カバーを取り付けた斜視図である。
【図６】図は、カバーを取り付けた断面図である。
【図７】磁束の説明のため、図２の滑動子の拡大図である。
【図８】図は、実施例３の滑動子の断面図である。
【図９】磁束を説明した断面図である。
【発明を実施するための最良の形態】
【００１４】
本発明の波発電装置は、波を直接エネルギーに交換するもので、桟橋が揺れるのを見て考案したものである。その波発電装置を大まかに別けると、固定子（１）と滑動子（２）で構成されている。その固定子（１）は、まず杭（１ｅ）を海底（１ａ）に打ち込み、その杭（１ｅ）を中心にリング状になった磁石（１ｂ）で構成されており、その磁石（１ｂ）は多数の磁石（１ｂ）をＮ極とＮ極、Ｓ極とＳ極とを合わすようにステップ着磁式で、固定子（１）の外側にＮ極とＳ極が互い違いになるように配置した。
【００１５】
その固定子（１）の杭（１ｅ）は、防波堤（１ｃ）の近くの海底（１ａ）に打ち込み、その杭（１ｅ）の上部には防波堤（１ｃ）に設置するように取付具（１ｄ）を介在している。防波堤（１ｃ）には、波発電装置が発電した電気を直流に替えるインバータがある。
【００１６】
そして滑動子（２）は、中に固定子（１）を貫通して取り付けており、固定子（１）の柱を摺動するようになっている。その滑動子（２）は、回転するものでは回転子である。しかし本発明では、ピストンのように往復運動をするものであるから、滑動子（２）と名前を付けた。その滑動子（２）は、コイル（２ａ）と磁性部（２ｂ）からできていて、コイル（２ａ）は固定子（１）を巻くように巻いており、その発電する電気は交流になり、そのままでは使用でき難いため、一端直流に変換するダイオード（２ｃ）を介在している。
【００１７】
しかし、インバータを使用するともっと簡単である。そして磁性部（２ｂ）は、略コ字状の形をしたものを１周並べているので、その略コ字状を磁束（２ｇ）が伝わり、磁束（２ｇ）が効率よく電気に代える。その略コ字状の磁性部（２ｂ）は、内径の方が狭いため内径の数に合わせて、外側は隙間が開くように取り付ける。
【００１８】
そして、滑動子（２）はフロート（２ｅ）を具備していて、水の上に浮く浮力があり、フロート（２ｅ）の中心に滑動子（２）があり、滑動子（２）は波の勾配に合わせて動くフロート（２ｅ）にはヒンジ（２ｆ）を介在している。そのヒンジ（２ｆ）は、波の来る方向に合わせて、平行に取り付けた方向がフロート（２ｅ）の横になるように取り付ける。
そしてヒンジ（２ｆ）は、滑動子（２）の側には軸を取り付け、フロート（２ｅ）側にはその軸を支えるための穴が具備されている。
また、全体をゴムなどの弾性部を採用して、どちらの方向にも傾き波の影響を受けない物もできる。
【００１９】
波は、波浪やうねりがエネルギー源で、防波堤（１ｃ）の近くが、波が跳ね返る場所が一番波の高い場所であり、もっと良いところは防波堤（１ｃ）がＶの湾に重なるところである。その湾になるところは、波が集まり空に向かって２０メートルほど海水が跳ね上がるエネルギーがあり、普通は波消しブロックなどを置き、波を消していたが、波発電装置を設置することで波消しブロックが不要になる。
【００２０】
そして、波の上下動によってフロート（２ｅ）が上下し、その上下動をヒンジ（２ｆ）が介して滑動子（２）が上下すると、固定されている固定子（１）の磁石（１ｂ）が作用して、電気が発生する。
【００２１】
その固定子（１）の磁石（１ｂ）は、リング状でＳ極とＳ極、Ｎ極とＮ極を無理やり合わせているが、ヨークを間に挟むと抵抗無く引っ付く。そのＳ極が合わさった場所と、Ｎ極が合わさった場所が、滑動子（２）の磁性部（２ｂ）のセンターになるように加工し、中にコイル（２ａ）が具備されている。
【００２２】
固定子（１）の磁石（１ｂ）は永久磁石であるから、磁力線はＮ極からＳ極に流れ、Ｎ極からＳ極に流れるときに、近くを滑動子（２）か通過すると磁束（２ｇ）は、滑動子（２）の磁性部（２ｂ）を通り、磁束（２ｇ）の変化で素早く極が入れ替わると、磁束（２ｇ）はコイル（２ａ）に電磁誘導電流を流す。その電流は交流で、周波数がたえず代わっているため、直流に変換しないと使用でき難い。そこで、ダイオード（２ｃ）を介して直流にする方法と、インバータは交流を一旦直流に変えるダイオード（２ｃ）と、周波数を作り出す装置が具備されているのでインバータが良い。そして作り出した電気は、ケーブルを介して防波堤（１ｃ）の上にと送られる。
【実施例１】
【００２３】
本発明の実施例について、図面を参照して説明する。
図１は、本発明の斜視図で、最もよい場所は、防波堤（１ｃ）の直ぐ側が、波が打ち寄せて、その波が反射して帰るところが、波の高さが高いので最もよい。従って、防波堤（１ｃ）から３メートルの位置に杭（１ｅ）を打ち、杭（１ｅ）上部は取付具（１ｄ）で固定されている。
【００２４】
点線は海の中を表した図であり、杭（１ｅ）は波の上下の動きに合わせ、十分な磁石（１ｂ）が設置されている。したがって、日本海は潮汐波が３０センチほどなので、太平洋側の潮汐波４メートルよりは、固定子（１）の磁石（１ｂ）を倹約できる。そして磁石（１ｂ）を保護し、異物を吸着しないようにゴム製のカバー（１ｆ）が具備されており、そのカバー（１ｆ）はフレキであり滑動子（２）を囲っている。
【００２５】
滑動子（２）は、磁石（１ｂ）の誘導で発電して、フロート（２ｅ）はヒンジ（２ｆ）を介して滑動子（２）に取り付けているので、波の勾配に合わせてフロート（２ｅ）も傾く。そのフロート（２ｅ）は、縦５メートル、横幅１０メートル、高さ２メートルで、総トン数１００トンで、排水量５０トンである。
【００２６】
したがって、重量は５０トンで、浮力も５０トンであり、波の波動で上下に揺れるとき、完全に中に浮くのに５０トンの重さがあり、完全に沈めるのに５０トンの抵抗がある。それを素早く伝えるために、高さは２メートルと薄い。したがって、２センチ毎の上下動に、１トンの浮力や重力が加わる。
【００２７】
波は、取付具（１ｄ）と同じ方向の右下から左上へと押し寄せるので、縦５メートルは波に乗りやすくしてあり、横幅１０メートルは浮力を保つため長くした。
【００２８】
図２は、本発明の模式した断面図である。その模式した図は、日本海の岸壁の断面で、防波堤（１ｃ）から３メートルの所に杭（１ｅ）を打つか、防波堤（１ｃ）から取付具（１ｄ）を介して固定子（１）を取り付けているが、今回は両方を採用している。まず、杭（１ｅ）を打つのに電柱を立てるスクリュー付きのレッカー車で、防波堤（１ｃ）からブームを伸ばして海底（１ａ）に穴を掘り、杭（１ｅ）を立てる。その杭（１ｅ）を垂直に保つように、リング状になったコンクリートでできた重り（１ｊ）で海底（１ａ）の地盤を固め、固定子（１）の磁石（１ｂ）と滑動子（２）を挿入してから、上部を取付具（１ｄ）で防波堤（１ｃ）に取り付ける。その他、大掛かりになるが、杭打ち機で杭（１ｅ）を打つ。
【００２９】
日本海は潮汐波が少なく、３０センチぐらいであるため、余分な固定子（１）の磁石（１ｂ）を取り付けなくてよい。したがって、太平洋側が８メートルの波を想定するのなら、潮汐波の４メートルを加えた１２メートルの磁石（１ｂ）の層がいるが、日本海側では潮汐波のことを考え無くてよく、磁石（１ｂ）の層は８メートルでよい。
【００３０】
その杭（１ｅ）はΦ３００で、海底（１ａ）から１０メートル下に打ち込んである。その外側に、リング状になったフェライト磁石（１ｂ）で、外側はΦ９００で、内径はΦ３００で、厚みは４００ミリのＮ極とＮ極、Ｓ極とＳ極になるように、反発する磁石（１ｂ）を強制的に張り合わしている。しかし、鉄製のヨークを挟むことで、簡単に張り合わすこともできる。
【００３１】
磁石（１ｂ）の取り付けている層は８メートルで、磁石（１ｂ）のリング型異方フェライトを２０個合わせている。８メートルの磁石（１ｂ）の層は、通常の波で、台風などの振幅の大きな時は、波の最高点と波の最も低いところは磁石（１ｂ）が無いので発電はしないので、磁石（１ｂ）があるところだけ発電する。
【００３２】
滑動子（２）の全体の形はリングで、その中を固定子（１）が貫通して、波の力で上下に動き、滑動子（２）が動いて発電するので、ギャップを０．５ミリ開け、そのギャップを守るために車（２ｄ）を４個づつ上下に取り付けた。その車（２ｄ）は、ギャップを護るために取り付けたものであるから、金属製の車（２ｄ）を使用した方が良い。
【００３３】
その滑動子（２）の発電部は、磁性部（２ｂ）とコイル（２ａ）でできており、最初にコイル（２ａ）をΦ３０１の筒に巻き、略コ字状のになった磁性部（２ｂ）はコイル（２ａ）を挟んで円筒形にしたものである。その磁性部（２ｂ）は、厚み０．３５のケイ素鋼８０００枚を円形に並べている。
【００３４】
磁性部（２ｂ）は、磁石（１ｂ）のピッチと同じ４００ミリであり、略コ字状の外側は６００ミリであり、コイル（２ａ）の入った略コ字状の内側は２００ミリである。その磁性部（２ｂ）は、Ｎ極からＳ極へと磁束（２ｇ）を伝えるものである。
【００３５】
コイル（２ａ）は外側に磁性部（２ｂ）があり、その磁束（２ｇ）が包むようにコイル（２ａ）に伝えコイル（２ａ）は電流となる。そのコイル（２ａ）は、Φ５を２４００回巻いていて、その配線はダイオード（２ｃ）を４個取り付け、防波堤（１ｃ）の上に送る。
【００３６】
その滑動子（２）を動かす動力は、波の力を直接受けるフロート（２ｅ）で、そのフロート（２ｅ）は波の傾斜に合わせて傾くようにヒンジ（２ｆ）で止めているので、滑動子（２）が水平なのに比べ、フロート（２ｅ）は右側が波の傾斜で下がっている。
【００３７】
そして、固定子（１）の磁石（１ｂ）と、滑動子（２）のギャップは、鉄粉を吸着しないようにゴム製のフレキなのカバー（１ｆ）で保護している。そして、下側のカバー（１ｆ）の中には潤滑油が入れられており、海中の水圧に耐える。
【００３８】
図３は、図２の滑動子（２）の拡大図で、固定子（１）と滑動子（２）の詳細な説明をする。固定子（１）の断面は、中に杭（１ｅ）かあり、その外側にリングになった磁石（１ｂ）がＮ極とＮ極、Ｓ極とＳ極になるように、反発する磁石（１ｂ）を強制的に張り合わしている。
【００３９】
Ｎ極とＮ極を張り合わした場所から磁力線は、滑動子（２）の磁性部（２ｂ）に入り、略コ字状になった外側を通り、Ｓ極とＳ極が合わさった所に戻る。この滑動子（２）が波で揺れることで滑動子（２）が上下し、発電をする。
【００４０】
滑動子（２）は回転子と同じものであるが、回転子のように回転するものでなく、ギャップを開けて固定子（１）の端を上下に動くものであるから、回転で無く滑り動く滑動とし、滑動子（２）とした。また、干渉しないように車（２ｄ）が全部で６個以上付いており、ギャップ０．５ミリを保っている。
【００４１】
図４は、その滑動子（２）を横に切った平面の断面図である。上は防波堤（１ｃ）に近いところで、下は海側である。そして中心に杭（１ｅ）があり、その杭（１ｅ）が全てを支えている。その外側に固定子（１）の永久磁石のフェライト磁石（１ｂ）があり、リングになったものを２０個、Ｎ極とＮ極を重ね、Ｓ極とＳ極を重ねて取り付けている。
【００４２】
その外側に滑動子（２）のコイル（２ａ）があり、固定子（１）の磁石（１ｂ）の表面と、コイル（２ａ）の内面は０．５ミリのギャップがあり、そのギャップを保つために車（２ｄ）が具備されている。その車（２ｄ）は４個具備されており、その車（２ｄ）は０．５ミリのギャップを守るため、車（２ｄ）は硬いもので金属製を採用している。そして、車（２ｄ）は上下に付いているため、全部で８個付いている。
【００４３】
コイル（２ａ）はΦ５を２４００回巻いてあり、固定子（１）の磁石（１ｂ）を巻くように磁性部（２ｂ）の中に巻かれている。従って、コイル（２ａ）を所定の長さに巻き、その後でコイル（２ａ）の外へ磁性部（２ｂ）の略コ字状物を取り付ける。固定子（１）の磁石（１ｂ）の外側を、コイル（２ａ）が動くことで電流が発生し、発電する。
【００４４】
その外側に磁性部（２ｂ）の鉄心があり、その磁性部（２ｂ）は略コ字状の形をしており、０．３５のケイ素鋼を２８００枚円形に並べて、内側のギャップに近いところは接触しているが、外側は扇形に広がっているため０．６ミリの隙間ができている。
【実施例２】
【００４５】
図５を参照して、使用例を説明する。その図はカバー（１ｆ）を具備しており、磁石（１ｂ）を守るために付いており、海中も同じようにカバー（１ｆ）が付いている。海中のカバー（１ｆ）は、潤滑油を中に入れておかないと、海中では水圧のためカバー（１ｆ）のフレキが水圧で潰れてしまうのを防ぐ。そして、防波堤（１ｃ）は角になったところで、右側にも防波堤（１ｃ）がある。普段は右下から左上へと波が来て、日本海の波の高さは８メートル位であるから、８メートルを超えたものには、固定子（１）の磁石（１ｂ）が無いので、固定子（１）の磁石（１ｂ）は用意されておらず、発電しない。しかし、８メートルを超える波のときは、８メートルの間に設置した磁石（１ｂ）で十分な発電をする。
【００４６】
波発電装置は潮汐波が少ない日本海が最もよい。そして、波の波長が長く、３０メートルピッチがあるのも利点の一つである。そのため、大きなフロート（２ｅ）を取り付けることができる。大きなフロート（２ｅ）は浮力があり、また高さが低いものの方が波のエネルギーの損質が少ない。
【００４７】
また、８メートルの波の場合、フロート（２ｅ）が上に上昇するときは、フロート（２ｅ）の総排水量は１００トンで、重量は５０トンであり、海面が高さ２メートルの半分の、１メートルのところにある。
【００４８】
その海面が１．５メートルになる５０センチ沈み、５０センチの浮力が加わり、５０センチの浮力は２５トンである。２５トンの浮力は、そのまま滑動子（２）に伝わり、滑動子（２）は中に固定子（１）の磁石（１ｂ）があることで、滑動子（２）は磁石（１ｂ）の磁束（２ｇ）が抵抗になる。その抵抗で動かないときは、さらに海面が上昇して、２メートルのフロート（２ｅ）の甲板まで、海面が上昇すると１メートルの浮力が加わり、浮力は５０トンになる。
【００４９】
浮力５０トンのトルクは、滑動子（２）が磁束（２ｇ）を切るのに十分なトルクであり、滑動子（２）が固定子（１）の磁石（１ｂ）の磁束（２ｇ）を断って、滑動子（２）のコイル（２ａ）に電流が発生する。
【００５０】
そこで４０センチ上昇すれば、今度は逆の磁石（１ｂ）のところに来るので、逆の磁束が流れる。すると、逆の電流が流れ、交流電流が発生する。そして、４０センチのピッチで交流のプラスとマイナスの電流が入れ替わる。そこで、波の波長が３０メートルで、５秒おきに来るとして、２０個の磁石（１ｂ）は、それを往復するので４０回の電気が入れ替わる。それが、５秒間で起こるため４Ｈｚになる。
【００５１】
図６は波発電装置の断面図であり、波が来ているところで、フロート（２ｅ）は滑動子（２）に取り付けたヒンジ（２ｆ）で、波の表面の変化に合わせて左側が上がっている。そして、取付具（１ｄ）の下に杭（１ｅ）にカバー（１ｆ）の端を取り付け、カバー（１ｆ）の下側は滑動子（２）に取り付ける。海中のカバー（１ｆ）は、滑動子（２）の下側に取り付け、そのカバー（１ｆ）の先端は杭（１ｅ）に具備されている。
【００５２】
その場所は、防波堤（１ｃ）に波が来て戻るところであり、普通の場所より波は高くなる。その場所は、波が跳ね返る場所で、その波発電装置が無ければ、波消しブロックが必要である。
【００５３】
そして防波堤（１ｃ）が、他の防波堤（１ｃ）と合わさるところは、さらに高い波が得られる。波は、湾のように先が狭くなっている所では、波のエネルギーが合わさり波の波動は高くなる。
【００５４】
図７は、滑動子（２）を詳細に説明するために、滑動子（２）を拡大して、磁束（２ｇ）を書いて、右側の滑動子（２）で説明する。右側の固定子（１）の磁石（１ｂ）で、滑動子（２）の上側はＮ極になっており、その磁束（２ｇ）はギャップを介して磁性部（２ｂ）を右に伝わり、下側の磁性部（２ｂ）を通り、ギャップを介してＳ極に入る。
【００５５】
そして、コイル（２ａ）を磁石（１ｂ）の磁気が移動することで電流が発生する。電流は磁石（１ｂ）とコイル（２ａ）が互いに働いているときだけ電流が流れ、滑動子（２）が停止しているときは、電流は流れない。電磁誘導を起こすのは、磁束（２ｇ）の変化であり、電流が流れるためには起電力が存在しなければならない。したがって、電磁誘導とは、コイル（２ａ）を通る磁束（２ｇ）の変化によって、コイル（２ａ）に起電力が誘起される現象を利用した。
【００５６】
そのため滑動子（２）が下に移動することで、滑動子（２）の上側はＳ極になり、滑動子（２）の下側はＮ極になるため、磁束（２ｇ）は逆に向く。このとき磁束の変化でコイル（２ａ）に電気が流れる。
【実施例３】
【００５７】
フロート（２ｅ）の高さは２メートルあるので、図８の断面図のように滑動子（２）の厚みを６００ミリでは、フロート（２ｅ）の２メートルの高さがあるため、滑動子（２）のコイル（２ａ）を複数の層を取り付けて電流を起こすため、略コ字状の磁性部（２ｂ）を図８のようにコイル（２ａ）の入るところを４個取り付け、コイル（２ａ）は１層ごとに互い違いになるように巻く。
【００５８】
そして、滑動子（２）とフロート（２ｅ）の間にはヒンジ（２ｆ）が取り付けてあり、フロート（２ｅ）は波の傾斜で傾き、それをヒンジ（２ｆ）が介して滑動子（２）に伝えるので、滑動子（２）を平行に保つ。
【００５９】
図９は、図８の断面図に磁束（２ｇ）を書いたものである。その磁石（１ｂ）は４００ミリピッチであり、それに合わせて略コ字状の滑動子（２）のコイル（２ａ）を４個挟んだ形になっている。そしてＮ極から出た磁束（２ｇ）はＳ極に入っている。そして、波の作用で上下に移動すると、コイル（２ａ）を磁石（１ｂ）の磁気が移動することで電流が発生する。
【００６０】
電流は、磁石（１ｂ）とコイル（２ａ）が互いに働いているときだけ電流が流れ、滑動子（２）が停止しているときは、電流は流れない。電磁誘導を起こすのは磁束（２ｇ）の変化であり、電流が流れるためには起電力が存在しなければならない。したがって、電磁誘導とは、コイル（２ａ）を通る磁束（２ｇ）の変化によって、コイル（２ａ）に起電力が誘起される現象を利用した。そして、滑動子（２）に巻かれたコイル（２ａ）は並列に配線した方が、コイル（２ａ）が発生する熱を避けるためには良い。
【実施例４】
【００６１】
また、固定子（１）の磁石（１ｂ）の厚みを４０ミリと狭くすることで、４０Ｈｚの物もできる。磁石（１ｂ）の幅が４００ミリのものと比べると、４０ミリの磁石（１ｂ）の厚みは早い磁束（２ｇ）の入れ替わりがあり、実施例２の４Ｈｚに比べると４０Ｈｚは使用できる範囲である。４０ミリの固定子（１）の磁石（１ｂ）は、滑動子（２）のコイル（２ａ）の層も数が４９個であり、図９の断面図で説明すると滑動子（２）のコイル（２ａ）と磁性部（２ｂ）は２０ミリづつである。そのコイル（２ａ）は、互い違いになるように巻き、そのコイル（２ａ）はΦ１のものを４００回巻き、それぞれの層のコイル（２ａ）を並列に繋いでいる。
【００６２】
このピッチを細かくする方法は、周波数を上げるだけでなく、波の小さなときこにも発電することができる。小さな波で１メートルとすると、１メートルの上下動は２５個の磁石（１ｂ）の磁束（２ｇ）を断ち、２５回のプラスとマイナスが入れ替わり、１２回の周波数になり、波の速さが１秒間隔であるとしたら、１２Ｈｚの発電ができる。
【産業上の利用可能性】
【００６３】
風力発電で洋上に設置しているものは、風力発電の主柱の周りに磁石（１ｂ）を取り付け、波発電装置にすることができる。洋上の風力発電は、海底（１ａ）に杭（１ｅ）を打ち込み、その上に発電機と風で回る風車を取り付けていた。そこで、水面に波発電装置を取り付けると、フロート（２ｅ）が浮き桟橋の代わりをし、点検の時には風力発電装置に乗り移るのに便利である。
【符号の説明】
【００６４】
１  固定子    １ａ  海底      １ｂ  磁石    １ｃ  防波堤    １ｄ  取付具
１ｅ  杭      １ｆ  カバー    １ｊ  重り
２  滑動子    ２ａ  コイル    ２ｂ  磁性部    ２ｃ  ダイオード    ２ｄ  車
２ｅ  フロート      ２ｆ  ヒンジ        ２ｇ  磁束
３  海底
【図１】
2014095310.tif 000003
【図２】
2014095310.tif 000004
【図３】
2014095310.tif 000005
【図４】
2014095310.tif 000006
【図５】
2014095310.tif 000007
【図６】
2014095310.tif 000008
【図７】
2014095310.tif 000009
【図８】
2014095310.tif 000010
【図９】
2014095310.tif 000011